【手続補正書】
【提出日】平成19年5月10日(2007.5.10)
【手続補正１】
【補正対象書類名】特許請求の範囲
【補正対象項目名】全文
【補正方法】変更
【補正の内容】
【特許請求の範囲】
【請求項１】
半導体基板の第１主面上に、バスバー電極と、前記バスバー電極から伸びる複数の線状のフィンガー電極と、が備えられており、
前記バスバー電極は、インターコネクタに接続するための第１接続部と、インターコネクタに接続されない第１非接続部と、を含み、
前記第１接続部と前記第１非接続部とが前記バスバー電極の長手方向に隣接して配置されている、太陽電池。
【請求項２】
前記半導体基板の前記第１主面と反対側の第２主面上に、インターコネクタに接続するための第２接続部と、インターコネクタに接続されない第２非接続部と、が前記バスバー電極の長手方向に隣接して配置されていることを特徴とする、請求項１に記載の太陽電池。
【請求項３】
前記第１接続部および前記第２接続部はそれぞれ前記半導体基板に関して互いに対称となる位置に形成されていることを特徴とする、請求項２に記載の太陽電池。
【請求項４】
前記第１接続部が島状に形成されていることを特徴とする、請求項１から３のいずれかに記載の太陽電池。
【請求項５】
前記第１接続部が線状に形成されていることを特徴とする、請求項１から３のいずれかに記載の太陽電池。
【請求項６】
前記第１主面上に前記第１非接続部の周縁を前記バスバー電極の一部で取り囲んだ中空パターン部が形成されていることを特徴とする、請求項１から５のいずれかに記載の太陽電池。
【請求項７】
前記中空パターン部における前記バスバー電極の幅は、前記第１接続部における前記バスバー電極の幅よりも狭いことを特徴とする、請求項６に記載の太陽電池。
【請求項８】
前記バスバー電極の長手方向に前記中空パターン部が複数形成されており、互いに隣接する前記中空パターン部の間隔が等間隔であることを特徴とする、請求項６または７に記載の太陽電池。
【請求項９】
前記第１主面の端部と前記第１主面の前記端部に隣接する前記中空パターン部との間隔のうち少なくとも１つの間隔が、互いに隣接する前記中空パターン部の間隔よりも狭いことを特徴とする、請求項６から８のいずれかに記載の太陽電池。
【請求項１０】
前記第１主面の端部に隣接する前記第１接続部の少なくとも１つは、前記第１主面の端部から離れて設置されていることを特徴とする、請求項１から９のいずれかに記載の太陽電池。
【請求項１１】
半導体基板の第１主面上にインターコネクタに接続するための電極が備えられており、
前記電極は、インターコネクタに接続されない非接続部の両側に位置してインターコネクタに接続するための接続部と、前記非接続部の両側に配置された前記接続部同士を前記非接続部を迂回して電気的に接続する迂回部と、を含む、太陽電池。
【請求項１２】
半導体基板の第１主面上にインターコネクタに接続するための電極が備えられており、
前記電極の一部としてインターコネクタに接続するための２つの接続部と、前記２つの接続部の間に位置してインターコネクタに接続されない非接続部と、前記非接続部を迂回して前記２つの接続部を電気的に接続する迂回部と、を含む、太陽電池。
【請求項１３】
半導体基板の第１主面上にインターコネクタに接続するための電極が備えられており、
前記電極は、インターコネクタに接続するための２つの接続部と、前記２つの接続部間においてインターコネクタに接続されない非接続部を迂回するために設けられた迂回部と、を含む、太陽電池。
【請求項１４】
請求項２に記載の太陽電池の複数が接続された太陽電池ストリングであって、
互いに隣接する前記太陽電池において、一方の前記太陽電池の第１接続部と他方の前記太陽電池の第２接続部とがインターコネクタに接続されている、太陽電池ストリング。
【請求項１５】
前記インターコネクタは、前記太陽電池の端部において屈曲していることを特徴とする、請求項１４に記載の太陽電池ストリング。
【請求項１６】
前記インターコネクタは、前記第１非接続部に対応する箇所および前記第２非接続部に対応する箇所の少なくとも１箇所に、前記インターコネクタの断面積が局部的に縮小された小断面積部を有することを特徴とする、請求項１４または１５に記載の太陽電池ストリング。
【請求項１７】
前記インターコネクタは、前記第１非接続部に対応する箇所および前記第２非接続部に対応する箇所のすべての箇所に、前記インターコネクタの断面積が局部的に縮小された小断面積部を有することを特徴とする、請求項１４または１５に記載の太陽電池ストリング。
【請求項１８】
請求項６に記載の太陽電池の複数が接続された太陽電池ストリングであって、
互いに隣接する前記太陽電池において、一方の前記太陽電池の第１接続部と他方の前記太陽電池の第２接続部とがインターコネクタに接続されている、太陽電池ストリング。
【請求項１９】
前記インターコネクタは、前記中空パターン部に対応する箇所の少なくとも１箇所に、前記インターコネクタの断面積が局部的に縮小された小断面積部を有することを特徴とする、請求項１８に記載の太陽電池ストリング。
【請求項２０】
前記インターコネクタは、前記中空パターン部に対応する箇所のすべての箇所に、前記インターコネクタの断面積が局部的に縮小された小断面積部を有することを特徴とする、請求項１８に記載の太陽電池ストリング。
【請求項２１】
請求項１４から２０のいずれかの太陽電池ストリングが封止材によって封止されてなる、太陽電池モジュール。
【手続補正２】
【補正対象書類名】明細書
【補正対象項目名】００２５
【補正方法】変更
【補正の内容】
【００２５】
本発明は、半導体基板の第１主面上に、バスバー電極と、バスバー電極から伸びる複数の線状のフィンガー電極と、が備えられており、バスバー電極は、インターコネクタに接続するための第１接続部と、インターコネクタに接続されない第１非接続部と、を含み、第１接続部と第１非接続部とがバスバー電極の長手方向に隣接して配置されている太陽電池である。
【手続補正３】
【補正対象書類名】明細書
【補正対象項目名】００２６
【補正方法】変更
【補正の内容】
【００２６】
ここで、本発明の太陽電池においては、半導体基板の第１主面と反対側の第２主面上に、インターコネクタに接続するための第２接続部と、インターコネクタに接続されない第２非接続部と、がバスバー電極の長手方向に隣接して配置されていてもよい。
【手続補正４】
【補正対象書類名】明細書
【補正対象項目名】００２９
【補正方法】変更
【補正の内容】
【００２９】
また、本発明の太陽電池においては、第１主面上に第１非接続部の周縁がバスバー電極の一部で取り囲まれた中空パターン部が形成されていてもよい。
【手続補正５】
【補正対象書類名】明細書
【補正対象項目名】００３１
【補正方法】変更
【補正の内容】
【００３１】
また、本発明の太陽電池においては、バスバー電極の長手方向に中空パターン部が複数形成されており、互いに隣接する中空パターン部の間隔が等間隔であることが好ましい。
【手続補正６】
【補正対象書類名】明細書
【補正対象項目名】００３３
【補正方法】変更
【補正の内容】
【００３３】
また、本発明の太陽電池において、第１主面の端部に隣接する第１接続部の少なくとも
１つは、第１主面の端部から離れて設置されていてもよい。また、本発明は、半導体基板の第１主面上にインターコネクタに接続するための電極が備えられており、電極は、インターコネクタに接続されない非接続部の両側に位置してインターコネクタに接続するための接続部と、非接続部の両側に配置された接続部同士を非接続部を迂回して電気的に接続する迂回部と、を含む、太陽電池である。また、本発明は、半導体基板の第１主面上にインターコネクタに接続するための電極が備えられており、電極の一部としてインターコネクタに接続するための２つの接続部と、２つの接続部の間に位置してインターコネクタに接続されない非接続部と、非接続部を迂回して２つの接続部を電気的に接続する迂回部と、を含む、太陽電池である。また、本発明は、半導体基板の第１主面上にインターコネクタに接続するための電極が備えられており、電極は、インターコネクタに接続するための２つの接続部と、２つの接続部間においてインターコネクタに接続されない非接続部を迂回するために設けられた迂回部と、を含む、太陽電池である。